(57)【要約】 【課題】  サーバと複数の端末とが任意のネットワークを介して接続され、制服の貸与に係わる処理をサーバにより管理する制服貸与システムにおいて、サーバにおけるデータ処理において、制服貸与の管理の誤操作による誤管理を低減する。【解決手段】  制服貸与システムは、サーバと複数の端末とが任意のネットワークを介して接続され、制服の貸与に係わる処理をサーバにより管理する。端末は、制服の貸与申請、返却申請、及び受領通知を行う申請端末と、申請を処理した申請処理内容の通知、及び廃棄登録処理を行う申請処理端末とを含む。サーバは、制服貸与の申請を管理する申請管理部と、申請された制服の貸与及び貸与した制服の返却を含む制服の流れを管理する貸与・返却管理部とを備え、申請に係わる管理と申請後の制服の流れに伴う管理とを、申請管理部と貸与・返却管理部とに分けて行い、申請の管理と制服の流れに伴う管理との誤操作による誤管理を防ぐ。【選択図】  図１
2006236052.tif 000002
【特許請求の範囲】
【請求項１】
サーバと複数の端末とが任意のネットワークを介して接続され、制服の貸与に係わる処理を、前記サーバにより管理する制服貸与システムにおいて、
前記端末は制服の貸与申請、返却申請、及び受領通知を行う申請端末と、前記申請を処理した申請処理内容の通知、及び廃棄登録処理を行う申請処理端末とを含み、
前記サーバは、制服貸与の申請を管理する申請管理部と、申請された制服の貸与及び貸与した制服の返却を含む制服の流れを管理する貸与・返却管理部とを備え、
前記申請管理部は、前記申請端末からの申請要求に基づいて申請データを生成し、
前記貸与・返却管理部は、制服の支給、受領、返却、及び回収を含む貸与管理を行うものであり、
前記申請端末からの受領通知、返却申請に基づいて、前記受領及び返却の管理を行い、
前記申請処理端末からの申請処理内容、廃棄登録処理に基づいて、前記支給及び回収の管理を選択的に行うことを特徴とする、制服貸与システム。
【請求項２】
前記申請データは、少なくとも制服の品名、サイズ、色、及び点数を含む申請項目を備え、
前記申請管理部は、申請端末からの申請要求に基づいて当該申請項目の登録及び／又は変更を行うことを特徴とする、請求項１に記載の制服貸与システム。
【請求項３】
前記申請データは、前記申請処理端末の申請処理内容を設定する申請処理項目を備え、
前記申請管理部は、前記申請処理端末からの申請処理内容に基づいて当該申請データ中の申請処理項目を所定状態に設定することを特徴とする、請求項２に記載の制服貸与システム。
【請求項４】
前記申請処理項目は確認項目と承認項目とを含み、
前記申請管理部は、前記確認項目が設定されているときは前記承認項目の設定を許容し、前記承認項目が設定されているときは前記貸与・返却管理部が支給指令を生成することを許容することを特徴とする、請求項３に記載の制服貸与システム。
【請求項５】
前記申請管理部は、前記承認項目が設定されているときは、申請データ中の前記申請項目のデータを履歴領域に移動し蓄積させることを特徴とする、請求項３に記載の制服貸与システム。
【請求項６】
前記貸与・返却管理部は、前記申請端末からの返却申請に基づく制服の返却処理、及び申請処理端末からの廃棄登録処理に基づく制服の廃棄を含む貸与管理を行うことを特徴とする、請求項１乃至５の何れかに記載の制服貸与システム。
【請求項７】
前記貸与・返却管理部は、
貸与した制服について少なくとも品名及び個数に関するデータを貸与者毎に格納する台帳データと、未貸与の在庫の制服について少なくとも品名及び個数に関するデータを格納する在庫データとを備え、
支給処理、前記申請端末からの受領通知、及び前記申請処理端末からの回収処理の少なくとも何れかの情報に基づいて、当該台帳データ及び在庫データを登録及び／又は更新することを特徴とする、請求項１乃至６の何れかに記載の制服貸与システム。
【請求項８】
前記回収処理は、収納処理、廃棄登録処理を含み、
前記貸与・返却管理部は、前記申請処理端末からの収納処理の回収処理が設定された場合には在庫データを更新し、前記申請処理端末からの収納処理の廃棄登録処理が設定された場合には在庫データの当該データを削除することを特徴とする、請求項７に記載の制服貸与システム。
【請求項９】
前記申請データは、代理申請の申請態様を表すデータ項目を有し、
前記申請管理部は、
前記申請端末からの申請要求に基づいて、前記申請態様が代理申請である場合には、前記データ項目に代理申請者の識別データを格納することを特徴とする、請求項１乃至８の何れかに記載の制服貸与システム。
【請求項１０】
前記申請データは、事前申請の申請態様を表すデータ項目を有し、
前記申請管理部は、
前記申請態様が事前申請である場合には、前記データ項目に申請が有効となる有効日時を格納し、有効日時より前は申請処理端末への申請データの送信を無効とし、有効日時以後は申請処理端末への申請データの送信を有効とすることを特徴とする、請求項１乃至９の何れかに記載の制服貸与システム。
【請求項１１】
サーバと複数の端末とが任意のネットワークを介して接続され、制服の貸与に係わる処理を、前記サーバにより管理する制服貸与システムにおいて、
前記端末は、制服の貸与を申請する複数の第１の端末と、制服の貸与申請を処理する第２の端末とを備え、
前記サーバは、制服貸与の申請状態に係わる申請データ領域を備え、
前記第１の端末の少なくとも何れかから送られた申請情報を当該申請データ領域の申請項目に格納し、前記第２の端末から送られた処理情報を当該申請データ領域の申請処理項目に格納し、
当該申請処理項目に処理情報が格納されたことに基づいて、制服貸与の支給を指令することを特徴とする制服貸与システム。
【請求項１２】
前記サーバは、制服貸与の貸与状態に係わる貸与データ領域を備え、
前記第１の端末及び／又は第２の端末から送られた貸与情報を当該貸与データ領域の個人別の管理領域及び在庫管理領域に格納することを特徴とする、請求項１１に記載の請求項制服貸与システム。
【請求項１３】
前記サーバはＷｅｂサーバであり、前記端末はＷＷＷブラウザを備え、
前記第１の端末はＷＷＷブラウザ上で入力した申請情報をサーバに送り、
前記サーバは、前記第１の端末のＷＷＷブラウザ上で入力した申請情報を、前記申請データ領域内の申請項目に格納し、
前記第２の端末のＷＷＷブラウザ上で入力した処理情報を、前記申請データ領域内の申請処理項目に格納して申請データを生成することを特徴とする、請求項１１又は１２に記載の制服貸与システム。
【発明の詳細な説明】
【技術分野】
【０００１】
本発明は、制服貸与に関し、企業や各種団体等の各種組織において、社員や職員等の従業員に貸与する制服について、申請、確認・承認、支給、返却等の制服貸与に伴う各種処理を行う制服貸与システムに関する。
【背景技術】
【０００２】
企業や各種団体等の各種組織では、社員や職員等の従業員に対して制服を支給する場合がある。支給される制服には作業服や帽子、靴など種々の物品が含まれ、各従業員に貸与される。制服を貸与する際には、各構成員の貸与申請、構成員からの申請に対して行う確認行為や承認行為、制服の支給、支給された制服の返却、及び廃棄等の管理業務が発生する。
【０００３】
制服の支給は、文房具などの通常の消耗品の場合とは異なり、その貸与請求時に、従業員が従事する職種に応じた品目や、貸与される者の性別や体格等の合った制服のサイズ（衣服の大きさを表す号数等）や色を考慮する必要がある他、定期的な交換や、破損や汚損による交換等、制服の使用状況に応じた交換等を考慮する必要がある。
【０００４】
このような制服の貸与の管理は、従来、申請書や管理帳等の書類上に記入する等で行う他、パソコン上の表計算ツールを用いた手作業によって行われている。
【発明の開示】
【発明が解決しようとする課題】
【０００５】
制服の貸与に伴う、申請、支給、受領、返却、回収等の各処理を、書類上への記入やパソコン上の表計算によって行う場合には、手作業を要するため作業が煩雑となり、作業効率も制限されるという問題がある。
【０００６】
この問題を解決する構成として、制服貸与の管理処理を行うサーバと、申請、支給、受領、返却、回収の各処理を指示する複数の端末とをネットワーク等を介して接続し、制服の貸与に係わる処理をサーバ上で行うことにより管理の効率化を図ることが考えられる。この場合、申請、支給、受領、返却、回収の貸与に関連する一連の処理をサーバ上で行うには、通常、ジャケットやベストなど各種の品目について利用者毎に、申請から回収までの各状態を記録する共通のデータを用意することで対応することができる。
【０００７】
サーバ上では、制服を申請する者、制服申請を管理する者、制服の支給を行う者、制服を受領する者、制服の返却を要求する者、制服の回収を行う者等は、上記した共通データにアクセスし、これによって一つの制服について申請から回収までの一連の処理を行うことになる。
【０００８】
しかしながら、上記したように、申請から回収までの一連の処理において複数のアクセス者が共通データにアクセスするため、誤操作が発生するおそれが高いという問題がある。例えば、申請が行われていない制服や、制服の申請がされているものの申請担当者による申請内容の確認や管理者による申請の承認が未だ完了していない制服について、共通データにアクセスすることで、制服支給や制服受領、あるいは制服返却の処理が行われるといった誤操作が発生するおそれがある。
【０００９】
そこで、本発明は、前記した課題を解決して、サーバと複数の端末とが任意のネットワークを介して接続され、制服の貸与に係わる処理をサーバにより管理する制服貸与システムにおいて、サーバにおけるデータ処理において、制服貸与の管理における誤操作による誤管理を低減することを目的とする。
【課題を解決するための手段】
【００１０】
本発明は、申請から回収までの一連の制服申請に係わる処理は、申請処理等の実際のものを伴わないデータのみの処理と、支給、受領、返却、回収等の実際の物の移動を伴う処理とを含むことに鑑み、サーバにおけるデータ処理について、申請に係わる処理と、申請が承認された後に行われる、支給、受領、返却、回収等の物の移動を伴うデータ処理とに分け、これらのデータ処理を申請管理部と貸与・返却管理部のそれぞれの管理部で行うことによって、制服貸与の管理の誤操作による誤管理を低減する。
【００１１】
本発明の制服貸与システムは、サーバと複数の端末とが任意のネットワークを介して接続され、制服の貸与に係わる処理を、前記サーバにより管理する制服貸与システムである。
【００１２】
本発明の端末は、制服の貸与申請、返却申請、及び受領通知を行う申請端末と、申請を処理した申請処理内容の通知、及び廃棄登録処理を行う申請処理端末とを含む。
【００１３】
申請端末は、貸与申請を行う端末、返却申請を行う端末、受領通知を行う端末をそれぞれ別の端末とする構成、各申請を同じ端末で行う構成の他、貸与申請と受領通知を同じ端末で行い返却申請を別の端末で行うなどの任意の組み合わせによる構成とすることができる。例えば、各自の端末を用いて貸与申請を行った申請者が申請した制服の支給を受けた場合には、同じ端末により受領通知を行い、その制服を返却する場合には、申請者時自身が同じ端末を用いて返却申請を行う他に、申請者とは異なる者が別の端末から返却申請を行ってもよい。
【００１４】
申請処理端末は、申請処理後において申請処理内容の通知を行う端末と、廃棄登録処理を行う端末とをそれぞれ別の端末で行う構成とする他、各申請を同じ端末で行う構成とすることができる。例えば、申請処理を行う部署と廃棄登録処理を行う部署が異なる場合には、申請処理端末はそれぞれ別の端末とし、また、同じ部署で行う場合には申請処理端末は同じ端末としてもよい。
【００１５】
本発明のサーバは、制服貸与の申請を管理する申請管理部と、申請された制服の貸与及び貸与した制服の返却を含む制服の流れを管理する貸与・返却管理部とを備える。本発明は、申請に係わる管理と申請後の制服の流れに伴う管理とを、それぞれ申請管理部と貸与・返却管理部とに分けて行うことによって、申請の管理と制服の流れに伴う管理との誤操作による誤った管理を防ぐ。
【００１６】
申請管理部は、申請端末からの申請要求に基づいて申請データを生成する。
【００１７】
申請データは、少なくとも制服の品名、サイズ、色、及び点数を含む申請項目を備える。申請管理部は、申請端末からの申請要求に基づいて申請項目の登録及び／又は変更を行う。
【００１８】
また、申請データは、申請処理端末の申請処理内容を設定する申請処理項目を備える。申請管理部は、申請処理端末からの申請処理内容に基づいて申請データ中の申請処理項目を所定状態に設定する。
【００１９】
申請処理項目は確認項目と承認項目とを含み、申請管理部は、確認項目が設定されているときは承認項目の設定を許容し、承認項目が設定されているときは貸与・返却管理部に対して支給指令を生成する。
【００２０】
申請管理部は、承認項目が設定されているときは、申請データ中の申請項目のデータを履歴領域に移動し蓄積させる。この貸与・返却管理部への指示と、申請データの履歴領域への移動によって申請管理部による申請処理は完了し、貸与・返却管理部による制服管理が開始される。
【００２１】
一方、貸与・返却管理部は、制服の支給、受領、返却、及び回収を含む貸与管理を行う。貸与・返却管理部は、申請端末からの受領通知、返却申請に基づいて、受領及び返却の管理を行い、申請処理端末からの申請処理内容、廃棄登録処理に基づいて、支給及び回収の管理を選択的に行う。
【００２２】
貸与・返却管理部は、申請端末からの返却申請に基づく制服の返却処理、及び申請処理端末からの廃棄登録処理に基づく制服の廃棄を含む貸与管理を行う。
【００２３】
貸与・返却管理部は、貸与した制服について少なくとも品名及び個数に関するデータを貸与者毎に格納する台帳データと、未貸与の在庫の制服について少なくとも品名及び個数に関するデータを格納する在庫データとを備える。
【００２４】
当該台帳データ及び在庫データは、支給処理、申請端末からの受領通知、及び申請処理端末からの回収処理の少なくとも何れかの情報に基づいて登録及び／又は更新を行う。
【００２５】
また、回収処理は、収納処理、廃棄登録処理を含む。貸与・返却管理部は、申請処理端末からの収納処理の回収処理が設定された場合には在庫データを更新し、申請処理端末からの収納処理の廃棄登録処理が設定された場合には在庫データの当該データを削除する。
【００２６】
申請管理部から貸与・返却管理部への管理の移行は、申請管理部での承認項目の設定を指標とすることができる。貸与・返却管理部は、申請管理部で承認項目が設定されたことを受けて管理を開始する。
【００２７】
なお、申請管理部は種々の管理態様を採用することができる。管理態様として、代理申請、事前申請等がある。
【００２８】
代理申請は、申請者以外の者が代理申請者となって、申請者に代わって制服貸与の申請を行う管理態様である。
【００２９】
この代理申請では、申請データに代理申請の申請態様を表すデータ項目を持たせる。申請管理部は、申請端末からの申請要求に基づいて、申請態様が代理申請である場合には、データ項目に代理申請者の識別データを格納する。識別データとしては、例えば、代理申請者の氏名の他、職員番号やＩＤ番号等の各個人に一対一で付与された管理番号を用いることができる。これによって、申請者自身によって制服申請を行う代わりに、他者が代理申請者として制服申請を行うことができる。
【００３０】
事前申請は、未登録の者が、登録が完了する前に制服申請を予め行う管理態様である。
【００３１】
この事前申請では、申請データに事前申請の申請態様を表すデータ項目を持たせる。申請管理部は、申請態様が事前申請である場合には、データ項目に申請が有効となる有効日時を格納し、有効日時より前は申請処理端末への申請データの送信を無効とし、有効日時以後は申請処理端末への申請データの送信を有効とする。
【００３２】
これにより、例えば、入社前に制服の申請を行うことができ、所定の日を有効日時として設定することによって、入社前であっても制服を事前に申請しておくことができる。この事前申請では、申請を要求する者の登録は行われていないことが通常であり、このような場合には、前記した代理申請と組み合わせることで申請を行うことができる。
【００３３】
また、本発明は、サーバと複数の端末とが任意のネットワークを介して接続され、制服の貸与に係わる処理をサーバにより管理する制服貸与システムにおいて、制服の貸与を申請する複数の第１の端末と、制服の貸与申請を処理する第２の端末とによって端末を構成すると共に、サーバ上に制服貸与の申請状態に係わる申請データ領域を備えることによってネットワーク上での構成を形成する。
【００３４】
サーバは、複数の第１の端末の少なくとも何れかの端末から送られた申請情報を申請データ領域の申請項目に格納し、第２の端末から送られた処理情報を申請データ領域の申請処理項目に格納し、申請処理項目に処理情報が格納されたことに基づいて、制服貸与の支給を指令する。
【００３５】
サーバは、制服貸与の貸与状態に係わる貸与データ領域を備え、第１の端末及び／又は第２の端末から送られた貸与情報を当該貸与データ領域の個人別の管理領域及び在庫管理領域に格納する。
【００３６】
また、サーバはＷｅｂサーバであり、端末はＷＷＷブラウザを備えた構成とし、第１の端末はＷＷＷブラウザ上で入力した申請情報をサーバに送り、サーバは第１の端末のＷＷＷブラウザ上で入力した申請情報を、申請データ領域内の申請項目に格納する。また、第２の端末のＷＷＷブラウザ上で入力した処理情報を、申請データ領域内の申請処理項目に格納して申請データを生成する。
【発明の効果】
【００３７】
本発明によれば、サーバと複数の端末とが任意のネットワークを介して接続され、制服の貸与に係わる処理をサーバにより管理する制服貸与システムにおいて、申請管理部と貸与・返却管理部とを備え、申請に係わる管理と申請後の制服の流れに伴う管理とを、それぞれ申請管理部と貸与・返却管理部との分けて行うことによって、申請の管理と制服の流れに伴う管理とにおいて、誤操作による誤管理を防ぐことができる。
【００３８】
また、本発明の代理申請によれば、申請者による申請に代えて申請代理人によって制服貸与の申請を行うことができる。
【００３９】
また、本発明の事前申請によれば、例えば入社前申請のように申請者が資格を有していない未登録者であっても、制服貸与の申請を予め行うことができる。
【００４０】
また、本発明の申請管理部によれば、申請処理端末が行う申請処理内容の設定を行う申請処理項目を備え、この申請処理項目として確認項目と承認項目とを含むことによって、申請処理内容の確認と、確認した申請処理内容に対して支給を許可する承認との設定が可能となる。
【００４１】
さらに、承認項目の設定によって、申請管理部から貸与・返却管理部への処理の移行を行うことができる。貸与・返却管理部は、申請管理部から処理の移行を受けた後は、申請管理部で行われる申請処理と独立して、制服の貸与・返却管理を行うことができるため、誤操作による誤管理を防ぐことができる。
【発明を実施するための最良の形態】
【００４２】
以下、本発明の実施の形態について、図を用いて詳細に説明する。以下では、図１，図２を用いて本発明の制服貸与システムのネットワーク構成及びその動作について説明し、図３を用いて本発明の制服貸与システムにおけるサーバ及び端末の構成例について説明し、図４〜図６を用いて本発明の貸与申請手段の動作例について説明し、図７〜図１０を用いて本発明の申請処理手段の動作例について説明し、図１１〜図１５を用いて本発明の支給手段の動作例について説明し、図１６〜図１８を用いて本発明の受領手段の動作例について説明し、図１９〜図２１を用いて本発明の返却、回収の動作例について説明し、図２２、図２３により台帳及び在庫について説明し、図２４を用いて本発明の代理申請及び事前申請について説明し、図２５，２６を用いて本発明の制服貸与システムにおける社員及び社員番号の設定動作について説明する。
【００４３】
はじめに、図１を用いて本発明の制服貸与システムのネットワーク構成について説明する。図１において、制服貸与システム１は、サーバ２と第１の端末３と第２の端末４とをネットワーク７を介して接続することで構成されている。
【００４４】
サーバ２は、制服貸与に係わるデータを記憶するデータ記憶手段２ａとデータ処理手段２ｂを備え、制服申請に係わる処理の管理と、申請が承認された後に行われる制服の支給、受領、返却、廃棄等の物の移動に係わる処理の管理を、各端末３，４及びデータ記憶手段２ａとの間でデータを授受することで行う。
【００４５】
端末は、主に制服を申請する処理や申請した制服の支給を受ける処理等の、申請者に係わる処理の入出力を行う第１の端末３と、申請者からの申請要求によりサーバが生成した申請データに基づいて、申請内容の確認や承認を行う第２の端末４を含んでいる。
【００４６】
本発明の制服貸与システム１を会社組織に適用して行う場合には、通常、従業員が申請を行い、当該申請を管理者が確認ないし承認することで制服申請の処理が行われる。例えば、従業員は第１の端末３を用いて申請に関して入出力を行う。各第１の端末３はネットワーク７を介してサーバ２との間でデータの授受を行い、サーバ２は第１の端末３からの申請に基づいて申請データを生成する。
【００４７】
一方、貸与管理の担当者や管理権限を有する申請管理者は、第２の端末４を用いてサーバ２にアクセスし、サーバ２に生成されている申請データに基づいて、各申請内容を確認し、確認した申請について制服の支給を許す承認を行う。
【００４８】
図１及び図２の動作説明図を用いて、本発明の制服貸与システムによる申請処理、及び申請後に行われる制服の支給処理について説明する。なお、Ａ〜Ｈの符号は図１，２での順序を示し、１〜１５の番号は図２での順序を示している。
【００４９】
申請者は、第１の端末３からネットワーク７を介してサーバ２にアクセスし、メニュー等を用いて制服貸与の申請を及び機能を選択し、制服の品名やサイズ・色や数量等の申請内容を入力して申請を行う（Ａ，１）。サーバ２のデータ処理手段２ｂは、第１の端末３から入力された申請内容をデータ記憶手段２ａに記憶しておく（２）。
【００５０】
申請管理者である確認者は、第２の端末４からネットワーク７を介してサーバ２にアクセスし、メニュー等を用いて申請中の申請内容を取り込んで（３）、ディスプレイ等に表示して申請内容を確認する。この確認としては、例えば、申請内容である制服の品名やサイズ・色や数量等が適切であるかの他に、申請者の本人確認等がある（Ｂ，２）。
【００５１】
また、確認者は、申請内容の確認の際に、制服の在庫を確認する必要がある場合には、サーバ２にアクセスして在庫確認を要求する（５）。サーバ２のデータ処理手段２ｂは、確認者の端末から求められた在庫確認の問い合わせに基づいて、データ記録手段２ａ等に記憶してある在庫データを検索し、問い合わせられた制服の在庫を確認し、結果を第２の端末に送る（Ｃ，６）。確認者は、サーバ２からの確認を参照して申請内容を確認する。なお、制服の在庫確認は、サーバ処理手段２ｂがデータ検索して行う他に、在庫データを第２の端末４に送ってディスプレイ上に表示して確認者に確認させてもよい。
【００５２】
申請内容の制服が在庫にない場合には、在庫が補充されるまで申請を保留する他、在庫不足である旨を申請者の第１の端末３に送って申請者に通知してもよい。
【００５３】
また、確認者は、申請内容が不適であると判断した場合には、確認した結果を申請者の第１の端末３に送り、申請者に再考を促すようにしてもよい。
【００５４】
上記した、申請管理者から申請者への通知は、申請内容の確認結果や在庫結果に基づいて、確認者の操作を要することなく、第２の端末４が確認結果や在庫結果に設定した条件を満足したとき自動で行うことができる。
【００５５】
申請管理者である承認者は、確認者による確認が完了した申請に対して申請承認の処理を行う。なお、ここで、承認者が操作する端末は申請管理者の第２の端末としているが、確認者が操作する端末と同じ端末を用いることも異なる端末を用いることもできる。
【００５６】
ここでは、承認者は制服支給を許可する権限を有する者を意味し、承認によって確認者が確認した申請内容について支給が許可される。なお、申請について承認に至らない場合には、例えば、申請の却下や申請の保留等とすることができる。
【００５７】
この承認により物の移動を伴わない申請処理が完了する。この承認の後は、支給、受領、返却、廃棄等の実際の物の移動を伴う処理が行われることになる（７）。
【００５８】
申請承認の却下等を含む承認結果は、申請者の第１の端末３に送られた、ディスプレイ上に表示することができる（８）。
【００５９】
申請が承認されると、制服申請は支給手段５に送られて制服の支給が行われる。支給手段５には、制服の支給先と、支給する制服の品名やサイズ・色や数量等の情報が送られる。なお、支給手段５は、組織内の一部署とすることも、あるいは組織外の外部の企業や機関とすることもできる（Ｄ，９）。
【００６０】
支給手段５は、指示された制服６を支給先に支給する（Ｅ，１０）。このとき、支給手段５は、支給を開始したことを申請者に連絡してもよい。支給開始の連絡は、申請者の第１の端末３に支給手段５から直接に行う他、支給操作の開始したことをサーバ２に送信し、申請者の第１の端末３がサーバ２にアクセスすることで行っても良い（１１）。
【００６１】
申請者は、支給手段５から支給された制服６を受領し（Ｆ，１２）、受領したことを第１の端末３からサーバ２に連絡する。このとき、支給された制服と申請内容とが一致しない場合には、サーバ２に通知してもよい（Ｇ，１３）。
【００６２】
サーバ２は、第１の端末３から受領の連絡を受けると、データ記録手段２ａに受領を記録する。受領の記録は、制服貸与を管理するためのデータを従業員毎に記録する台帳データ、及び制服の在庫状態を管理するためのデータを品目毎に記録する在庫データに新規に記録あるいは更新することで行うことができる（１４）。
【００６３】
申請管理者は、第２の端末４からサーバ２のデータ記録手段２ａにアクセスして、台帳データ等を参照することによって、受領を確認することができる。また、サーバ２のデータ処理手段２ｂにおいて、データ記録手段２ａ内の台帳データ等を参照し、所定期間で受領が行われた申請者を抽出して受領状況のデータを生成し、この受領状況データを第２の端末４のディスプレイに表示させることによって、受領を確認することもできる。
【００６４】
受領状況は、抽出条件の設定を変更することによって任意に定めることができる。例えば、申請者毎の受領状況、部署毎の受領状況、所定期間での受領状況などとすることができる（１５）。
【００６５】
在庫データは、受領通知に基づいて更新される他、返却や廃棄によっても更新される。例えば、支給していた制服が返却された場合には、中古として在庫データの数量を増加して記録する他、在庫データの数量を増やすことなく廃棄準備品として記録してもよい。また、廃棄された場合には、在庫データの数量を減少する。
【００６６】
なお、申請管理者は、在庫データを参照することで、前記したように申請内容を確認する他、在庫不足が発生した制服等の貸与品の補充を行う。この在庫不足は、在庫データ中に基準となる在庫数量を予め設定しておき、データ処理手段によって在庫の数量と基準数量との差分を算出させ、その差分が例えば負となった時点を在庫数量の補充時期として、申請管理者に通知してもよい。
【００６７】
次に、図３を用いて本発明の制服貸与システムにおけるサーバ及び端末の構成例について説明する。
【００６８】
制服貸与システム１１は、サーバ１２と申請端末１３と申請処理端末１４を備え、貸与される制服は支給手段１５から支給される。なお、申請端末１３は前記した第１の端末に相当し、申請処理端末１４は前記した第２の端末に相当している。
【００６９】
サーバ１２は、主に申請データの管理を行う申請管理部１２Ａと、主に支給された制服の移動状態を管理する貸与・返却管理部１２Ｂの各機能を備える。なお、これら機能は、ソフトウエアで構成する他、ハードウエアで構成してもよい。ハードウエアで構成する場合には、それぞれ別のハードによって構成する必要はなく、同一のハード上で構成してもよい。
【００７０】
申請管理部１２Ａは、申請端末１３から入力される申請内容等に基づいて申請データ２０を生成すると共に、申請処理端末１４で行われる申請の確認や承認によって、申請データ２０を更新する。
【００７１】
貸与・返却管理部１２Ｂは、台帳管理手段１２ｂや在庫管理手段１２ｃに相当する機能備え、これらによって支給された制服の流れを管理する。台帳管理手段１２ｂは、主に申請者毎に支給された制服の品目、サイズ・色、数量等の各種データを台帳データ２１に管理し、各申請者が現在保持する制服を管理することができる。
【００７２】
在庫管理手段１２ｃは、支給された制服、及び支給されずに保管している品目について品目毎に在庫データ２２に管理し、現在支給されている制服と支給可能な制服の状態を管理することができる。
【００７３】
申請管理部１２Ａから貸与・返却管理部１２Ｂへの管理の移行は、例えば、申請管理部１２Ａの承認の有無をトリガとして行うことができ、申請管理部１２Ａは申請処理端末１４によって申請データ２０中の承認項目が設定されると、この設定を貸与・返却管理部１２Ｂの台帳管理手段１２ｂや在庫管理手段１２ｃに伝え、台帳管理手段１２ｂや在庫管理手段１２ｃの管理を開始させる。
【００７４】
貸与・返却管理部１２Ｂは、申請管理部１２Ａからのトリガを受けてはじめて該当する制服の支給後の管理を開始する。したがって、申請管理部１２Ａにおいて、申請がされていない場合や、申請されていても確認や承認が済んでいない場合には、貸与・返却管理部１２Ｂにおいて受領や返却、廃棄等の処理が行われることはない。
【００７５】
申請端末１３は、制服の貸与を申請する貸与申請手段１３ａと、制服受領に関する処理を行う受領手段１３ｂと、支給されている制服の返却に関する処理を行う返却申請手段１３ｃを含んでいる。
【００７６】
貸与申請手段１３ａは、申請者が制服を申請する際の各種項目を入力する機能を実現する手段である。申請に要する項目としては、例えば、申請者の氏名、社員番号等の申請者に設定された識別データ等の書誌的事項、申請の理由、品目やサイズ・色や点数（数量）等の申請内容等がある。なお、申請項目の内容は任意に設定することができる。
【００７７】
これら申請項目の設定は、例えば、貸与申請表示手段にこれら申請項目の記入欄を設け、当該記入欄にキー等によって入力することで行うことができる。貸与申請手段１３ａで入力した各項目は、サーバ１２内に申請データに反映される。なお、申請項目の表示、入力操作、サーバとの間のデータ授受等は、ブラウザを用いて行うことができる。
【００７８】
受領手段１３ｂは、支給が行われた制服の表示や、支給された制服の受領を確認する機能を実現する手段である。受領表示手段には、サーバ１２から支給が行われた制服についての情報が送られて表示される。制服を受領した申請者は、受領表示手段に表示された支給済みの制服と、実際に受領した制服とを照合して、受領した制服について確認を行う。
【００７９】
受領確認は、サーバ１２の貸与・返却管理部１２Ｂの台帳管理手段１２ｂ及び在庫管理手段１２ｃに送られ、台帳データ２１や在庫データ２２の更新が行われる。また、受領確認は、申請データ処理手段１２ａ中に申請データ２０に反映することもできる。例えば、支給が完了した制服が未受領である場合には、申請データ２０中に受領あるいは未受領の項目を設け、この項目に書き込むことによって受領状態の管理を行うことができる。
【００８０】
返却申請手段１３ｃは、支給及び受領が行われた制服を表示し、受領済みの制服の返却を申請する機能を実現する手段である。返却申請表示手段には、サーバ１２の台帳管理手段１２ｂの台帳データ２１から申請者毎に受領済みの制服についての情報が抽出されて送られ表示される。制服の返却を希望する申請者は、返却申請表示手段に表示された受領済みの制服を確認すると共に、当該受領済みの制服について返却を希望する制服を選択して、返却申請を行う。返却申請においては、申請者及び返却対象の制服を特定する情報を送信する。
【００８１】
返却申請は申請処理端末１４の回収処理手段１４ｃに送られる。返却申請を受けた回収処理手段１４ｃは回収処理を行い、申請された制服を回収する。なお、受領済みの制服の確認において、受領した制服について実体と一致しない場合には、台帳データ２１中に設けた受領状態のデータ項目に書き込み、当該データ項目の書き込みを申請処理端末１４で確認することで制服管理を行うことができる。
【００８２】
申請処理端末１４は、制服の貸与申請を確認する確認手段１４ａと、確認済みの貸与申請を承認する承認手段１４ｂと、返却申請された制服を回収する回収処理手段１４ｃを含んでいる。
【００８３】
確認手段１４ａは、申請データ２０から申請者や申請内容を読み出して確認表示手段に表示し、確認者が表示内容を参照して確認した場合に、当該確認情報は申請データ２０を反映させる機能を実現する手段である。申請データ処理手段１２ａは、確認手段１４ａからの確認に基づいて申請データ２０中に確認済みであることを記録する。
【００８４】
承認手段１４ｂは、申請データ２０から確認済みの貸与申請を読み出して承認表示手段に表示し、承認者が確認済みであることや申請内容を参照して承認した場合に、当該承認情報を申請データ２０に反映させる機能を実現する手段である。申請データ処理手段１２ａは、承認手段１４ｂからの承認に基づいて申請データ２０中に承認済みであることを記録する。
【００８５】
申請データ処理手段１２ａは、承認手段１４ｂからの承認を記録すると共に、支給手段１５に制服の支給を指示し、貸与・返却管理部１２Ｂの台帳確認手段１２ｂ及び在庫管理手段１２ｃに通知する。支給手段１５は、申請データ処理手段１２ａからの指示に基づいて制服の支給を開始する。また、台帳確認手段１２ｂ及び在庫管理手段１２ｃは、申請データ処理手段１２ａからの通知に基づいて支給後の制服の管理を開始する。
【００８６】
したがって、承認手段１４ｂによる承認の情報は、申請の処理から制服管理への移行のトリガとしての役割を有することになる。
【００８７】
また、申請データ処理手段１２ａ、当該承認を申請端末の受領手段１３ｂあるいは貸与申請手段１３ａに送って、申請者に申請が承認されたことを知られることができる。なお、図３では、申請端末の受領手段１３ｂに知らせる構成を示している。
【００８８】
また、申請データ処理手段１２ａは、承認手段１４ｂからの承認に基づいて、申請データ２０を履歴データ２３に移動させてもよい。これによって、申請データ２０は常に申請中のデータのみとし、申請処理が完了したものは履歴データ２３に格納することができる。なお、申請データ２０と履歴データ２３は、同一の記録手段に設けた各記憶領域に記録させることができる。
【００８９】
なお、図３に示す構成例では、確認手段１４ａと承認手段１４ｂとをわけているが、確認と承認を一つの処理として一手段で行う構成としてもよい。
【００９０】
回収処理手段１４ｃは、前記したように、返却申請手段１３ｃからの返却申請を受けて回収処理表示手段に表示し、担当者あるいは自動で回収機構（図示していない）に回収を指示する機能を実現する手段である。
【００９１】
回収処理手段１４ｃは、回収を指示すると共に、台帳管理手段１２ｂ、及び在庫管理手段１２ｃに回収を通知して、台帳データ２１及び在庫データ２２を更新する。台帳データ２１及び在庫データ２２は、回収された制服についてその数量のデータ更新を行う。
【００９２】
なお、回収処理では、回収した制服を中古として再利用する場合には在庫データ２２の中古の数量を更新し、回収した制服を廃棄する場合には、在庫データ２２の数量を減少させる。
【００９３】
上記した構成では、制服の支給を行う前の貸与申請のみを管理する申請管理部１２Ａと、支給済みの制服について管理を行う貸与・返却管理部１２Ｂとに区分することで、誤入力による誤った制服の貸与管理を防ぐことができる。
【００９４】
次に、図４〜図６を用いて本発明の貸与申請手段の動作例について説明する。なお、以下では、会社組織に適用した場合を例としている。
【００９５】
図４は、申請貸与手段による申請データの設定を説明するための概略図である。申請貸与手段１３ａで入力する入力項目としては、例えば、申請日、申請者を特定するための氏名や社員番号、所属部署等の識別データ、申請者の入社日あるいは入社予定日、申請を行う者としての申請者あるいは申請代理人、申請理由、申請内容がある。申請内容としては、例えば、貸与品の品名、サイズ・色、数量（点数）がある。
【００９６】
申請貸与手段１３ａで入力された上記項目は、申請データ２０中に格納される。申請データ２０には、上記項目の他、当該申請の申請処理状態を表すデータとして、確認日、承認日、却下日、確認コメント等が格納される。確認日及び承認日の設定は、当該申請が確認済みであること及び承認済みであることを表し、却下日の設定は、当該申請が却下済みであることを表している。
【００９７】
なお、識別データや申請者の入社日あるいは入社予定日は、社員データを管理するデータベースから取り込むことができる。
【００９８】
図５は、新規申請の際に、申請貸与手段１３ａの貸与申請表示手段に表示される表示例である。
【００９９】
申請貸与手段１３ａは、例えば、ＷＷＷブラウザ上で入力画面１００を表示する。入力画面１００には、申請日、所属部署、申請者、入社日、申請理由等の書誌的事項１００ａの他に、申請内容１００ｂとして品名、サイズ・色、点数が表示される。申請内容１００ｂは設定可能としている。
【０１００】
申請者の設定は、入力画面１００上で直接に入力することで行うことも、検索によってデータベースから取り込むこともできる。図５中の申請者の検索ボタン１００ｃを押下することによって、検索画面である対象者選択画面１０１が表示される。
【０１０１】
図６は検索によって対象者を選択する対象者選択画面１０１の一例である。図６において、指定した所属部署１０１ａに属している社員の社員番号１０１ｂ、氏名１０１ｃ、役職１０１ｄ等が一覧表示され、当該一覧から対象者を選択することによって申請者を特定することができる。
【０１０２】
また、図６に示す対象者選択画面１０１には、対象者が未入社の場合であっても、入力欄１０１ｅの入社予定日に入社予定の日付を事前データとして設定することができる。この事前データは、申請を有効にする条件として用いることができ、例えば、現実の日付が入社予定の日付より前の時点では、入力された申請データは申請としては無効とし、現実の日付が入社予定の日付となった時点ではじめて、入力された申請データを申請として有効に作用させる。なお、有効は、現実の日付が入社予定の日付と一致する条件にかぎられるものではなく、現実の日付が入社予定の日付より所定日数前としてもよい。
【０１０３】
次に、図７〜図１０を用いて本発明の申請処理手段の動作例について説明する。
【０１０４】
図７は、申請処理端末による申請データの参照及び管理操作を説明するための概略図である。申請処理端末１４は、サーバ１２内の申請データ２０から申請内容等を読み出して表示する。表示画面としては、申請者の書誌的事項や申請内容を一覧で表示する一覧画面、表示された申請内容を参照して、申請の確認あるいは承認を行う確認・承認画面等とすることができる。
【０１０５】
確認・承認画面上では、申請内容を表示する他に、申請の確認や承認等の操作を行い、これによって申請管理を行う。
【０１０６】
申請の確認のために、画面上に確認，却下、及びコメントを記述する操作ボタン１４α，１４β，１４γをそれぞれ備える。ＷＷＷブラウザ上で確認ボタン１４αを押下すると、当該確認設定が申請データ２０に反映され、申請データ２０中の確認日２０αに当日の日付が設定される。一方、ＷＷＷブラウザ上で却下ボタン１４βを押下すると、当該却下設定が申請データ２０に反映され、申請データ２０中の却下日２０βに当日の日付が設定される。また、ＷＷＷブラウザ上でコメントボタン１４γを押下して、コメント内容を入力すると、当該コメント内容が申請データ２０に反映され、申請データ２０中の確認コメント２０γにコメント内容が設定される。
【０１０７】
確認日２０αが設定された申請に対して、ＷＷＷブラウザ上で承認ボタン１４δを押下すると、当該承認設定が申請データ２０に反映され、申請データ２０中の承認日２０δに当日の日付が設定され、ＷＷＷブラウザ上で却下ボタン１４εを押下すると、当該却下設定が申請データ２０に反映され、申請データ２０中の却下日２０βに当日の日付が設定される。
【０１０８】
なお、承認処理手段１４ａあるいは申請データ処理手段１２ａは、承認ボタン１４δあるいは承認を却下する却下ボタン１４εが押下された際に、確認日あるいは確認を却下した却下日２０βの設定の有無を判定し、確認日２０αが設定されている場合には、承認日２０βあるいは承認を却下する承認日の日付を設定し（図示していない）、確認日２０αが設定されていない場合あるいは却下日２０βが設定されている場合には、承認日２０δあるいは承認を却下する却下日の日付（図示していない）の設定を無効とする。
【０１０９】
なお、申請データは、支給日２０ζ、受領日２０ηの項目を備え、支給日や受領日が設定される。
【０１１０】
図８は、確認・承認の状態を表示する一覧画面の表示例である。申請処理端末１４は、例えば、ＷＷＷブラウザ上で一覧入力画面１０２を表示する。一覧画面１０２には、申請日１０２ａ、申請の状態１０２ｂ、申請者氏名１０２ｃ、社員番号１０２ｄ、理由１０２ｅ、申請の制服の点数１０２ｆ等が一覧で表示される。一覧表示する表示内容は、図示する例に限らず、申請データ中に記録されるデータに基づいて任意に設定することができる。なお、申請の状態１０２ｂとしては、例えば、確認待ち、承認待ち、却下等がある。
【０１１１】
図９は、確認・承認画面の一例を説明するための図である。図９に示す確認・承認画面１０３は確認の場合を示している。この画面はＷＷＷブラウザ上で表示することができ、申請者の書誌的事項１０３ａや申請内容１０３ｂが表示される。確認者は、表示内容を参照して、確認あるいは却下を判断する。画面上１０３には、確認ボタン１０３ｃ、却下ボタン１０３ｄ、及び申請内容編集ボタン１０３ｅを設けることができる。
【０１１２】
申請を確認する場合には確認ボタン１０３ｃを押下し、申請を却下する場合には却下ボタン１０３ｄを押下する。また、申請に対してコメントを記入するには、確認者コメント１０３ｆの部分に記入する。
【０１１３】
また、確認・承認画面１０３上で申請内容を編集する場合には、申請内容編集ボタン１０３ｅを押下して後、申請内容１０３ｂを編集する。
【０１１４】
図１０は本発明の申請処理端末での編集画面の一例を説明するための図である。確認・承認画面１０３上で申請内容編集ボタン１０３ｅを押下すると、図１０に示す編集画面１０４が表示される。編集画面１０４上では、申請内容１０４ｂのサイズ・色や点数を編集することができる。
【０１１５】
次に、図１１〜図１５を用いて本発明の支給手段の動作例について説明する。
【０１１６】
図１１は、支給手段による台帳データ及び在庫データの管理操作を説明するための概略図である。支給手段１５は、サーバ１２内の申請データ２０から申請内容等を読み出して表示して、支給処理を行う。
【０１１７】
表示画面としては、承認済みであって未支給状態にある申請について、書誌的事項や申請内容を一覧で表示する一覧画面、及び表示された申請内容を参照して、支給処理を行う支給処理画面等とすることができる。
【０１１８】
未支給一覧画面上では、申請データ２０中で承認が設定された申請の書誌的事項や申請内容を抽出して一覧表示する。
【０１１９】
支給に係わる担当者は、表示内容を参照して、支給処理を行う。支給処理画面上には、支給処理を行う者を入力する入力者ボタン１５α、支給日を入力する支給日ボタン１５β、支給を指示する支給ボタン１５γ、支給品が新品であることを入力する新品ボタン１５δ、支給品が中古品であることを入力する中古ボタン１５εを設けることができる。
【０１２０】
支給画面上で支給ボタン１５γを押下すると、支給日１５βのデータが申請データ２０及び台帳データ２１に送られて支給日の設定が行われる。また、新品ボタン１５δあるいは中古ボタン１５εを押下することによって、台帳データ２１及び在庫データ２２に支給された制服が新品であるか中古であるかのデータが設定される。
【０１２１】
図１２は本発明の未支給画面の一例を説明するための図である。支給手段１５は、例えば、ＷＷＷブラウザ上で未支給一覧画面１０５を表示する。未支給一覧画面１０５には、申請日１０５ａ、社員番号１０５ｂ、申請者氏名１０５ｃ、理由１０５ｄ、申請の制服の点数１０５ｅ、承認日１０５ｆ等が一覧で表示される。一覧表示する表示内容は、図示する例に限らず、申請データ中に記録されるデータに基づいて任意に設定することができる。
【０１２２】
図１３は本発明の支給処理手段での支給処理画面の一例を説明するための図である。支給処理画面１０６上において、支給日の欄１０６ａに支給日を設定し、支給ボタン１０６ｂを押下することによって支給処理が行われ、支給部（図示していない）に制服の支給を指示する。
【０１２３】
この支給処理画面１０６には、支給日が表示される欄１０６ｃ、品目が表示される欄１０６ｄ、サイズ・色が表示される欄１０６ｅ、支給か返却かの何れであるかを表す欄１０６ｆ、支給制服が新品であるか中古であるかを表す欄１０６ｇ、支給を行うか否かを設定するチェック欄１０６ｈが設定される。
【０１２４】
支給・返却欄１０６ｆで“未支給”が設定された支給品のチェック欄１０６ｈを有効とすることで、当該支給品の支給設定を行う。このとき、欄１０６ｇの新品を有効とすることで新品の制服を設定し、中古を有効とすることで中古品の制服を設定することができる。
【０１２５】
また、支給処理手段では、申請した制服の支給状況を確認することができる。図１４は本発明において、制服申請の進捗状態を表す一覧画面の一例を説明するための図である。進捗一覧画面１０７上において、検索範囲を定める欄１０７ａと申請状態を定める欄１０７ｂによって検索条件を設定し、検索ボタン１０７ｃを押下することによって、検索対象の制服の進捗状態が１０７ｄ〜１０７ｌに表示される。
【０１２６】
進捗状態の表示例としては、例えば、申請日１０７ｄ，進捗状態１０７ｅ，社員番号１０７ｆ，申請者氏名１０７ｇ，理由１０７ｈ，申請点数１０７ｉ，承認日１０７ｊ，支給点数１０７ｋ，受領点数１０７ｌとすることができる。
【０１２７】
上記した進捗状態の表示例は一例であって、表示する内容は台帳データあるいは在庫データに記録されるデータに基づいて任意に設定することができる。
【０１２８】
図１５は、制服申請の進捗状態の詳細を表す画面の一例を説明するための図である。詳細画面１０８では、代理入力者の欄１０８ａ、申請日の欄１０８ｂ，所属部署の欄１０８ｃ，申請者の欄１０８ｄ，入社日の欄１０８ｅ，申請理由の欄１０８ｆ，申請内容欄１０８ｇ等を備え、申請内容の詳細を表示することができる。
【０１２９】
次に、図１６〜図２０を用いて本発明の受領手段の動作例について説明する。
【０１３０】
図１６は、受領手段による台帳データ及び在庫データの管理操作を説明するための概略図である。受領手段１３ｂはサーバ１２内の申請データ２０から申請内容等を読み出して表示して、受領処理を行う。
【０１３１】
表示画面としては、承認済みであって未支給状態にある申請について、書誌的事項や申請内容を一覧で表示する未受領一覧画面、及び表示された申請内容を参照して、受領処理を行う受領処理画面等とすることができる。
【０１３２】
未受領一覧画面上では、申請データ２０中で承認が設定された申請の書誌的事項や申請内容を抽出して一覧表示する。
【０１３３】
受領者は、未受領一覧画面上で表示内容を参照し、実際に受領した支給品と照合することによって受領処理を行う。受領処理画面上には、受領処理を行う者を入力する入力者ボタン１３α、受領日を入力する受領日ボタン１３β、受領を指示する受領ボタン１３γを設けることができる。ここで、入力者ボタン１３αは、申請者であってもあるいは申請者以外の者であっても構わない。
【０１３４】
受領画面上でボタン１３γを押下すると、受領日１３βのデータが申請データ２０及び台帳データ２１に送られて受領日の設定が行われる。
【０１３５】
図１７は本発明の受領画面の一例を説明するための図である。受領手段１３ａは、例えば、ＷＷＷブラウザ上で未受領一覧画面１０９を表示する。未受領一覧画面１０９には、申請日１０９ａ、社員番号１０９ｂ、申請者氏名１０９ｃ、申請理由１０９ｄ、申請の制服の点数１０９ｅ、承認日１０９ｆ等が一覧で表示される。一覧表示する表示内容は、図示する例に限らず、申請データ中に記録されるデータに基づいて任意に設定することができる。
【０１３６】
図１８は、制服申請の未受領の詳細を表す画面の一例を説明するための図である。未受領詳細画面１１０では、代理入力者の欄１１０ａ，申請日の欄１１０ｂ，進捗状態の欄１１０ｃ，所属部署の欄１１０ｄ，申請者の欄１１０ｅ，入社日の欄１１０ｆ，申請理由の欄１１０ｇ，申請内容欄１１０ｈ等を備え、申請内容の詳細を表示することができる。
【０１３７】
次に、図１９〜図２１を用いて本発明の返却、回収の動作例について説明する。
【０１３８】
図１９は、返却申請手段及び回収処理手段による台帳データ及び在庫データの管理操作を説明するための概略図である。
【０１３９】
返却申請手段１３ｃは、サーバ１２内の台帳データ２１から管理内容等を読み出して表示して、返却処理を行う。
【０１４０】
返却申請手段１３ｃの返却申請画面には、支給済みであって制服についての書誌的事項や申請内容を表示する。
【０１４１】
返却申請者は、返却申請画面上で表示内容を参照し、返却を行う制服を指定して返却処理を行う。返却申請画面上には、返却申請を行う者を入力する入力者ボタン１３δ、返却日を入力する返却日ボタン１３ε、返却を申請する返却ボタン１３ξを設けることができる。ここで、入力者ボタン１３δは、申請者であってもあるいは申請者以外の者であっても構わない。
【０１４２】
受領画面上で返却ボタン１３ξを押下すると、申請データ２０及び台帳データ２１に送られて制服のデータが更新される。
【０１４３】
また、回収処理手段１４ｃは、サーバ１２内の台帳データ２１から管理内容等を読み出して表示して、回収処理を行う。
【０１４４】
回収処理手段１４ｃの回収（返却・廃棄登録）画面には、返却申請された制服について申請内容を表示する。
【０１４５】
回収担当者は、回収画面上で表示内容を参照し、制服の回収処理を行う。回収画面上には、回収後の状態を指示する収納ボタン１４α、廃棄ボタン１４βが設けられる。回収画面上で収納ボタン１４αを押下すると、申請データ２０及び台帳データ２１に送られ、中古品としてデータが更新される。また、回収画面上で廃棄ボタン１４βを押下すると、申請データ２０では当該制服のデータが削除され、台帳データ２１では当該制服の数量を減らしたデータが更新される。また、回収画面上で紛失ボタン１４γを押下した場合においても、申請データ２０の当該制服のデータが削除され、台帳データ２１の当該制服の数量を減らしたデータが更新される。
【０１４６】
図２０は、返却申請画面の一例を説明するための図である。返却申請画面１１１では、申請者、所属部署、入社日，申請理由等の書誌的事項と共に、返却申請を行う制服が表示される。表示された制服について、返却ボタン１１１ａを押下することによって返却申請が行われる。
【０１４７】
図２１は、回収（返却・廃棄登録）画面の一例を説明するための図である。回収画面１１２では、回収を行う制服を特定する品名やサイズ・色や、支給日等の項目が表示されると共に、収納ボタン１１２ａ，廃棄ボタン１１２ｂ，紛失ボタン１１２ｃ、及び返却日を設定する入力設定ボタン１１２ｄが設けられる。
【０１４８】
回収後に中古品として再利用する場合には、収納ボタン１１２ａを押下し、台帳データ２１から削除させると共に、在庫データにおいて中古品のデータを更新させる。また、回収後に再利用することなく廃棄する場合には、廃棄ボタン１１２ｂを押下し、台帳データ２１から削除させると共に、在庫データにおいても廃棄した個数分の数量を減少させる更新を行わせ、回収した制服の廃棄登録処理を廃棄部門（図示していない）に指示する。
【０１４９】
また、紛失した場合には、紛失ボタン１１２ｃを押下し、台帳データ２１から削除させると共に、在庫データにおいても廃棄した個数分の数量を減少させる更新を行わせる。なお、紛失の場合には、回収する制服が存在しないため、廃棄部門（図示していない）への廃棄指示は行わない。
【０１５０】
次に、台帳データ及び在庫データの参照について、図２２，図２３を用いて説明する。
【０１５１】
図２２は台帳一覧画面の一例を示す図である。図２２において、台帳一覧画面１１３には、台帳データから抽出したデータを表示することができる。図示する例では、社員番号、氏名、所属等の制服貸与者を特定する項目の他に、貸与されている制服の品目とその数量が表示している。
【０１５２】
表示する制服貸与者は、抽出条件を設定することで選択することができる。抽出条件としては、図では貸与点数や退職者の例を示している。また、一覧表示のボタンを押下して貸与者の一覧を表示させ、その中から選択してもよい。
【０１５３】
図２３は在庫照会画面の一例を示す図である。図２３において、在庫照会画面１１４には、在庫データから抽出したデータを表示することができる。図示する例では、ジャケットとベストの品目について、サイズ・色毎に、新品の数量と中古の数量と合計の数量、基準数量、及び合計数量から基準数量を差し引いた数量を表示している。
【０１５４】
ここで、新品の数量は未支給の制服の在庫数量であり、中古の数量は回収された制服の在庫数量であり、合計数量は新品の数量と中古の数量とを合計した数量であって、支給可能な制服の数量を表している。
【０１５５】
また、基準の数量は在庫として確保すべき数量である。この基準量は予め設定しておき、在庫量と基準量とを比較し、例えば、在庫量が基準量を下回った場合には、在庫量が不適当な状態にあると判定し、在庫を増やす等の処置に活用することができる。
【０１５６】
在庫管理手段１２ｃは、在庫データから設定した基準量と在庫量のデータ（新品の数量と中古の数量）を抽出し、新品の数量と中古の数量とを加算して合計数量を算出し、さらに、合計数量から基準値を差し引いてその差分値を算出し、算出した数量を（合計−基準）として、在庫データに記録する。在庫管理は、この（合計−基準）の値を監視し、例えば負となった場合に、アラーム表示や（合計−基準）の表示色を変える等によって注意を喚起する。（合計−基準）の値の監視は、在庫データが更新された時点を行う他、基準値を変更した際に行うことができる。
【０１５７】
次に、図２４を用いて本発明の代理申請及び事前申請について説明する。
【０１５８】
本発明の制服貸与システムの申請データ処理手段は、申請者本人による申請の他に、申請者以外の代理申請者による申請を行うことができ、また、申請者が制服貸与システムに未登録である状態であっても事前に申請を行うことができ、設定されて日を契機として申請を有効なものとして申請処理を進めることができる。
【０１５９】
以下、この代理申請及び事前申請の動作について、図２４のフローチャートに従って説明する。
【０１６０】
申請データ処理手段１２ａは、貸与申請手段１３ａからの申請中に代理申請が設定されているか否かを判定する（Ｓ１）。代理申請が設定されていない場合には、申請者本人による申請として、申請事項を入力して申請データを生成し（Ｓ２）、申請処理を進める（Ｓ８）。
【０１６１】
一方、代理申請が設定されている場合には（Ｓ１）、代理申請者の確認を行い、代理申請者が登録者であるか、代理による申請を行う資格を有しているか等を判定基準として判定し、代理申請が不可である場合には、貸与申請手段１３ａにその旨を通知する。
【０１６２】
代理申請の可・不可は、例えば、単に登録者であるだけでなく、従業員の個人データを管理するデータベース中に代理申請の可・不可の設定項目を設定しておき、その設定を判定基準とする他、職種や職階等を判定基準としてもよい（Ｓ３）。
【０１６３】
Ｓ３において代理申請が確認された場合には、その申請が事前申請であるか否かを判定する。ここで、事前申請とは、例えば、申請者が入社前の段階で制服貸与の申請を行う場合であり、制服貸与システムに未登録、あるいは登録されていても未承認の状態にある者が、登録前あるいは承認前の時点で申請の手続きを行うことを意味している。以下、登録されていても未承認の状態も含めて登録前として説明する。
【０１６４】
貸与申請手段１３ａからの申請が事前申請であるか否かは、申請者が登録されているか否かを、個人データベースを参照することで行うことができる（Ｓ４）。
【０１６５】
Ｓ４において、貸与申請手段１３ａからの申請が事前申請でないと判定された場合には、代理申請人による申請として、申請事項を入力して申請データを生成し（Ｓ５）、申請処理を進める（Ｓ８）。
【０１６６】
一方、Ｓ４において、貸与申請手段１３ａからの申請が事前申請であると判定された場合には、代理申請人による申請として申請事項を入力して申請データを生成すると共に（Ｓ６）、設定日が到達するまで申請処理の進行を無効とする。
【０１６７】
設定日は、例えば、入社日とすることも、あるいは入社日から所定日数前とすることもでき、入社日と無関係に任意に設定してもよい。設定日は、例えば、申請データ中の所定データ項目に設定しておくことができる。
【０１６８】
貸与申請手段１３ａは、申請データ中に設定日が設定されている場合には、現実の日付と設定日とを比較し、現実の日付が設定日に達した時点で保留としていた申請を有効とし（Ｓ７）、申請処理を進める（Ｓ８）。
【０１６９】
申請管理部１２Ａは社員や社員番号の設定を行うことができる。この設定は、申請データ処理手段１２ａによって各端末１３，１４により申請段階においても行うことができる。
【０１７０】
図２５は社員設定を行う社員設定一覧画面の一例であり、メニューから選択することができる。ＷＷＷブラウザ等によって申請端末１３あるいは申請処理端末１４上の画面上に社員設定一覧画面を表示し、申請日、入力日、申請者氏名、代理人氏名、配属予定部署、等の各入力欄に入力することで社員設定を行う。
【０１７１】
また、図２６は社員番号設定を行う社員番号設定画面の一例であり、メニューから選択することができる。申請端末１３における申請において、申請者の社員番号を設定する際に、この社員番号設定画面を呼び出して、直接あるいは検索によって社員番号を設定する。
【０１７２】
なお、上記説明では、制服を貸与する場合を例としているが、貸与品は制服に限らず、備品に適用することもできる。
【０１７３】
また、上記説明では、各個人に対する貸与を例としているが、複数の個人、あるいは、部署を単位として適用することもできる。この場合には、複数の個人の内の代表者や各部署の代表者を申請者として申請を行う他に、本発明の代理申請を用いて、複数の個人の内の代表者や各部署中で定めた特定者を代理申請者として申請を行うこともできる。
【産業上の利用可能性】
【０１７４】
本発明の制服貸与システムは、制服に限らず、各個人の貸与物品全般に適用することができる。
【図面の簡単な説明】
【０１７５】
【図１】本発明の制服貸与システムのネットワーク構成を説明するための図である。
【図２】本発明の制服貸与システムのネットワーク動作を説明するための図である。
【図３】本発明の制服貸与システムにおけるサーバ及び端末の構成例を説明するための図である。
【図４】本発明の申請貸与手段による申請データの設定を説明するための概略図である。
【図５】本発明の新規申請の際の貸与申請表示手段の表示例を説明するための図である。
【図６】検索によって対象者を選択する検索画面例である。
【図７】本発明の申請処理端末による申請データの参照及び管理操作を説明するための概略図である。
【図８】本発明の確認・承認の状態を表示する一覧画面の表示例である
【図９】本発明の確認・承認画面の一例を説明するための図である。
【図１０】本発明の申請処理端末での編集画面の一例を説明するための図である。
【図１１】本発明の支給手段による台帳データ及び在庫データの管理操作を説明するための概略図である。
【図１２】本発明の未支給画面の一例を説明するための図である。
【図１３】本発明の支給処理手段での支給処理画面の一例を説明するための図である。
【図１４】本発明の制服申請の進捗状態を表す一覧画面の一例を説明するための図である。
【図１５】本発明の制服申請の進捗状態の詳細を表す画面の一例を説明するための図である。
【図１６】本発明の受領手段による台帳データ及び在庫データの管理操作を説明するための概略図である。
【図１７】本発明の受領画面の一例を説明するための図である。
【図１８】制服申請の未受領の詳細を表す画面の一例を説明するための図である。
【図１９】返却申請手段及び回収処理手段による台帳データ及び在庫データの管理操作を説明するための概略図である。
【図２０】返却申請画面の一例を説明するための図である。
【図２１】本発明の回収（返却・廃棄登録）画面の一例を説明するための図である。
【図２２】本発明の台帳一覧画面の一例を示す図である。
【図２３】本発明の在庫照会画面の一例を示す図である。
【図２４】本発明の代理申請及び事前申請について説明するための図である。
【図２５】本発明の社員設定を行う社員設定一覧画面の一例である。
【図２６】本発明の社員番号設定を行う社員番号設定画面の一例である。
【符号の説明】
【０１７６】
１  制服貸与システム
２  サーバ
２ａ  データ記録手段
２ｂ  データ処理手段
３  第１の端末
４  第２の端末
５  支給手段
６  制服
７  ネットワーク
１１  制服貸与システム
１２  サーバ
１２Ａ  申請管理部
１２Ｂ  貸与・返却管理部
１２ａ  申請データ処理手段
１２ｂ  台帳管理手段
１２ｃ  在庫管理手段
１３  申請端末
１３ａ  貸与申請手段
１３ｂ  受領手段
１３ｃ  返却申請手段
１４  申請処理端末
１４ａ  確認手段
１４ｂ  承認手段
１４ｃ  回収処理手段
１５  支給手段
２０  申請データ
２１  台帳データ
２２  在庫データ
１００  新規申請画面
１０１  対象者選択画面
１０２  確認・承認一覧画面
１０３  確認・承認画面
１０４  編集画面
１０５  未支給一覧画面
１０６  支給処理画面
１０７  進捗一覧画面
１０８  進捗詳細画面
１０９  未受領一覧画面
１１０  未受領詳細画面
１１１  返却申請画面
１１２  返却・廃棄登録画面
１１３  台帳一覧画面
１１４  在庫照会画面
１１５  社員設定一覧画面
１１６  社員番号設定画面
【図１】
2006236052.tif 000003
【図２】
2006236052.tif 000004
【図３】
2006236052.tif 000005
【図４】
2006236052.tif 000006
【図５】
2006236052.tif 000007
【図６】
2006236052.tif 000008
【図７】
2006236052.tif 000009
【図８】
2006236052.tif 000010
【図９】
2006236052.tif 000011
【図１０】
2006236052.tif 000012
【図１１】
2006236052.tif 000013
【図１２】
2006236052.tif 000014
【図１３】
2006236052.tif 000015
【図１４】
2006236052.tif 000016
【図１５】
2006236052.tif 000017
【図１６】
2006236052.tif 000018
【図１７】
2006236052.tif 000019
【図１８】
2006236052.tif 000020
【図１９】
2006236052.tif 000021
【図２０】
2006236052.tif 000022
【図２１】
2006236052.tif 000023
【図２２】
2006236052.tif 000024
【図２３】
2006236052.tif 000025
【図２４】
2006236052.tif 000026
【図２５】
2006236052.tif 000027
【図２６】
2006236052.tif 000028